(57)【要約】  本発明は、デバイスを携帯するユーザの生理学的パラメータの取得を可能にする光を検出するデバイス及び方法に関する。光捕捉の効率を改善するため、デバイス１、２、３、４は、少なくとも第１の波長の光を対象の組織内に放射するよう構成される光源１０と、放射光と組織との相互作用の後に放射光の少なくとも一部を受け取り、受け取った光を第１の波長とは異なる少なくとも第２の波長に変換するよう構成される波長変換器２０と、上記波長変換器により変換された光を受け取るよう構成される光センサ３０とを有する。
2019533509.tif 000002
【特許請求の範囲】
【請求項１】
デバイスを携帯するユーザの生理学的パラメータの取得を可能にする光を検出するデバイスであって、
対象の組織内に少なくとも第１の波長の光を放射する光源と、
前記放射光と前記組織との相互作用の後に前記放射光の少なくとも一部を受け、前記受けた光を前記第１の波長とは異なる少なくとも第２の波長に変換する波長変換器と、
前記波長変換器により変換された光を受ける光センサとを有する、デバイス。
【請求項２】
前記波長変換器が、前記受けた光の波長を変換するドープ材料を有する、請求項１に記載のデバイス。
【請求項３】
前記波長変換器が、前記受けた光を前記第１の波長より長い第２の波長に変換する、請求項１に記載のデバイス。
【請求項４】
前記波長変換器が、前記光源と前記光センサとの間に配置される、請求項１に記載のデバイス。
【請求項５】
前記波長変換器が、前記組織を透過した光を受けるため、前記光源から離れて配置される、請求項１に記載のデバイス。
【請求項６】
前記波長変換器が、ロッド又はシリンダーとして形成され、側面で光を受け、第１の前面で変換光を放射する、請求項１に記載のデバイス。
【請求項７】
前記波長変換器が、前記第１の前面及び／又は前記第１の前面と反対側の第２の前面に、光を内部反射するためのミラーを有する、請求項１に記載のデバイス。
【請求項８】
前記波長変換器が、セラミック材料で作られる、請求項１に記載のデバイス。
【請求項９】
前記波長変換器が、
Ｍｎ２＋でドープされたガラスセラミック；非立方晶結晶；屈折率整合マトリックスに組み込まれたＥｕ３＋；
Ｃｏ３＋でドープされたガラスセラミック；非立方晶結晶；
Ｃｒ３＋、Ｎｄ３＋、Ｔｍ３＋でドープ／共ドープされたガーネット又は他の立方晶結晶；の１つで作られる、請求項１に記載のデバイス。
【請求項１０】
前記波長変換器が、アウトカップリング素子を有する、請求項１に記載のデバイス。
【請求項１１】
前記波長変換器が、ディスク又はリングとして形成され、前記光源は、前記波長変換器の中央領域に配置され、前記光センサが、前記波長変換器の端部に配置されるか、又は１つ若しくは複数のファイバを有する、請求項１に記載のデバイス。
【請求項１２】
前記光源が、１つ又は複数のＬＥＤ、ＬＥＤのアレイ、又はレーザを有する、請求項１に記載のデバイス。
【請求項１３】
前記光源が、２つの異なる第１の波長の光を放射する２つの光源要素を有する、請求項１に記載のデバイス。
【請求項１４】
前記光センサにより受けた光から前記デバイスを携帯するユーザの生理学的パラメータを取得する評価ユニットを更に有する、請求項１に記載のデバイス。
【請求項１５】
デバイスを携帯するユーザの生理学的パラメータの取得を可能にする光を検出する方法において、
対象の組織内に少なくとも第１の波長の光を放射するステップと、
前記放射光と前記組織との相互作用の後に前記放射光の少なくとも一部を受けるステップと、
前記受けた光を、前記第１の波長とは異なる少なくとも第２の波長に変換するステップと、
前記変換された光を受けるステップとを有する、方法。
【発明の詳細な説明】
【技術分野】
【０００１】
本発明は、デバイスを携帯するユーザの生理学的パラメータの取得を可能にする光を検出するデバイス及び方法に関する。
【背景技術】
【０００２】
生理学的パラメータ（又は信号）の光ベースの非侵襲的監視デバイスは、標的の身体部分への発光、組織（血液を含む）の光吸収／散乱特性、及び散乱光又は透過光の収集に依存する。心臓の鼓動が起こるたびに、身体部分に血液パルスが生じ、血液量が増加し、光吸収が増加し、従って光検出器による散乱／透過光の収集が減少する。斯かる血液量の変化を測定する光学的方法は、フォトプレチスモグラフィ（ＰＰＧ）と呼ばれる。さまざまなバイタルサイン、即ち心拍数、呼吸数、血中酸素飽和度がＰＰＧから得られることができ、それは血圧の代理測定として使用されることさえできる。血中酸素飽和度を得るために使用されるとき、この方法は、パルスオキシメトリと呼ばれる（Ｓｐ０２）。ＳｐＯ２センサは、病院の現場で広く使用され、一方ＰＰＧ心拍数測定は、活動追跡装置又はスポーツウォッチとしてウェアラブルデバイスに用途を見出す。
【発明の概要】
【発明が解決しようとする課題】
【０００３】
標的組織（又は皮膚；両方とも同じ意味として本書で使用される）への光の放出は、最も一般的には（光源としての）１つ又は複数のＬＥＤ又はレーザーダイオードにより行われ、光の収集は、最も一般的には標的組織に近い（フォトダイオードなどの光センサとしての）光センサを用いて直接行われる。組織／皮膚に入った光源からの光の一部は、組織／皮膚内で散乱した後に組織／皮膚から戻ってくる。既知のセンサでは、その光のごく一部だけが光センサにより捕捉され、残りの光は失われる。
【０００４】
ＵＳ２０１３／０１３１５１９Ａ１号は、耳に関する監視デバイスを開示する。そこでは、光が光ガイドを介して外耳道に供給され、光が耳領域から集められ光検出器に導かれる。これは、内耳のようにアクセスが困難な身体における位置を感知することを可能にする。しかしながら、それは、光ガイドへの光結合における低い有効性、ガイド内の損失及び低い光捕捉という欠点を有する。
【０００５】
ＵＳ２０１５／０９４５５０Ａ１号、ＥＰ３０２０３３１Ａ１号、及びＵＳ２００７／１２９６１３Ａ１号は、光源により放出される光の波長を変えるための波長変換手段を光源が備えるデバイスを開示する。
【０００６】
本発明の目的は、デバイスを携帯しているユーザの生理学的パラメータの取得を増大した光感知効率及び有効性で可能にする、光を検出するデバイス及び方法を提供することである。
【課題を解決するための手段】
【０００７】
本発明の第１の態様において、デバイスを携帯するユーザの生理学的パラメータの取得を可能にする光を検出するデバイスが提供され、このデバイスは、
対象の組織内に少なくとも第１の波長の光を放射する光源と、
上記放射光と上記組織との相互作用の後に上記放射光の少なくとも一部を受光し、上記受光した光を上記第１の波長とは異なる少なくとも第２の波長に変換する波長変換器と、
上記波長変換器により変換された光を受け取る光センサとを有する。
【０００８】
本発明の更に別の態様では、対応する方法が提供される。
【０００９】
本発明の好ましい実施形態は、従属項において規定される。請求項に記載された方法は、請求項に記載されたデバイス、特に従属請求項に規定され、本書に開示されるデバイスと同様の及び／又は同一の好ましい実施形態を持つ点を理解されたい。
【００１０】
本発明は、より大きな表面を通して組織から後方に散乱された光の捕捉及び検出を（小さな）センサにより改善するという考えに基づかれる。特に、波長変換器が、組織と光センサとの間の光路に使用され、組織から後方散乱された光の波長を異なる波長に変換する。変換された光は次に、波長変換器内で光センサに導かれる。
【００１１】
本発明では、波長変換器が導入され、時にはルミネセントコンセントレータ又は集光器とも呼ばれる。波長変換器は通常、蛍光染料をドープしたガラスでできている。蛍光染料は、光を、あらゆる方向に放出されるより長い波長へと変換する。全反射により、大部分の光が材料内に閉じ込められる。波長変換器それ自体は一般的に知られており、例えばＵＳ７，９８２，２２９Ｂ２号に記載される。提示されるデバイスの実施形態では、斯かる既知の波長変換器が使用されることができる。
【００１２】
従来のＰＰＧでは、光源から皮膚に放出された光の約１％だけがセンサにより捕捉されるが、放出された光の約５０％は皮膚から後方に散乱され、低いノイズのある信号をもたらす。本発明によれば、はるかに多くの光が捕捉されることができる（例えば、２０％超又は更に５０％超）。
【００１３】
更に、従来の感知デバイスでは、良好な信号を得るために光源からの大量の電力が必要とされ、こうして、ウェアラブルデバイスの電池寿命が制限される。電池の寿命は、継続的に着用されるべき今日のウェアラブルにおいても非常に重要である。提示されるデバイスの改善された効率により、電池寿命が延ばされることができる。
【００１４】
従来の感知デバイスにおいて光検出器により捕捉される光は、皮膚内のごくわずかな部分からのものであり、皮膚内の局所構造に大きく依存する。従って、皮膚上のセンサの移動により、運動アーチファクトが起きやすい。提示されるデバイスを用いると、皮膚の大部分が探査され、その結果、運動アーチファクトが低減される。
【００１５】
提示されるデバイスは、多くの光を捕捉するのに、サイズ、形状、コスト、及びより複雑な電子機器による更なる制限を追加するであろうより大きなセンサ又は複数のセンサを単に使用するのではなく、単にデバイスに組み込まれる追加の波長変換器を用いる。
【００１６】
一実施形態によれば、上記波長変換器は、受け取った光の波長を変換するよう構成されるドープ材料を含む。例えば、蛍光染料又は量子ドットをドープした材料が使用されることができ、これは、所望の目的のために低コストで容易に実現されることができる。材料は例えば、結晶、ガラス、セラミック又はポリマー材料のような光透過性材料とすることができる。
【００１７】
形状及び／又は材料は好ましくは、変換された光を波長変換器内に案内するように設計される。好ましくは、１．４２から１．８、より好ましくは１．４８から１．５４の間の屈折率を備える材料が使用される。
【００１８】
一実施形態では、波長変換器は、９５％を超える光源光を吸収するよう選択された幅を持つ。波長変換器は例えば、０．０５から３ｃｍ、特に０．１から１．５ｃｍ、例えば０．２から０．５ｃｍの範囲から選択される幅を持つことができる。好ましく使用される蛍光染料濃度では、斯かる幅は組織から受ける実質的に全ての光を吸収するのに十分である。
【００１９】
波長変換器は好ましくは、受け取った光を第１の波長よりも長い第２の波長に変換するよう構成される。より長い波長は一般的に、より低い屈折率を持つので、それらは、波長変換器においてより効率的に閉じ込められない場合がある。更に、センサは、検出された波長に対して良好な感度を持つべきであり、好ましくは放出された波長に対して低い感度を持つべきである。これもまたこの実施形態で支持されることができる。
【００２０】
波長変換器は、１つ又は複数の放射入力面を更に含み得る。これらの１つ又は複数の面は、組織から散乱された光を受け取るよう構成される。散乱光は、波長変換器の単一面又は複数の面に光を提供することができる。
【００２１】
別の実施形態では、上記波長変換器は、特に組織から反射された光を受け取るため、光源と光センサとの間に配置される。それは好ましくは、ロッド又はシリンダーとして形成され、側面で光を受け、第一の前面で変換された光を放射するよう構成される。こうして、コンパクトな設計が達成されることができる。
【００２２】
代替的な実施形態では、上記波長変換器は、組織を透過した光を受け取るため、光源からある距離を置いて配置される。デバイスは例えば、指を通過した光を利用する指クリップの形で構成されることができる。
【００２３】
好ましくは、波長変換器は、第１の前面及び／又は第１の前面の反対側の第２の前面に、光を内部反射するためのミラーを備える。これは、更に効率を改善する。第１の前面が、光センサにより完全に覆われていない場合、ミラーが、第１の前面に配置されてもよい。
【００２４】
波長変換器はまた、セラミック材料から作られてもよい。これは一般に、大きな硬度及び化学薬品に対する大きな抵抗率を持つ。
【００２５】
波長変換器に関して実用的に使用可能な材料は、
Ｍｎ２＋でドープされたガラスセラミック、特にＭｎ２＋、Ｍｎ４＋、Ｃｅ３＋、Ｐｒ３＋、Ｅｕ３＋、Ｓｍ３＋、Ｅｕ２＋、Ｙｂ２＋でドープ／共ドープされた１つ又は複数のガーネット又は立方晶；非立方晶結晶、特にＣｅ３＋、Ｐｒ３＋、Ｅｕ２＋、Ｙｂ２＋でドープされた蛍光体；屈折率整合マトリックスに組み込まれるＥｕ３＋、特にＴｅＯ２、ＳｎＯ／Ｐ２Ｏ５、又はＢｉ２Ｏ３含有ガラス、高屈折率ポリイミド；
Ｃｏ３＋でドープされたガラスセラミック、特にＣｅ３＋、Ｍｎ２＋、Ｍｎ４＋、Ｃｒ３＋でドープ／共ドープされた１つ又は複数のガーネット又は立方晶結晶；非立方晶結晶、特に屈折率整合マトリックスに組み込まれるＣｅ３＋、Ｐｒ３＋、Ｅｕ２＋、Ｙｂ２＋、Ｅｕ３＋、Ｔｍ３＋、Ｓｍ２＋、Ｃｒ３＋、Ｔｉ３＋でドープされた蛍光体；
Ｃｒ３＋、Ｎｄ３＋、Ｔｍ３＋でドープ／共ドープされたガーネット又は立方晶の１つ又は複数を含む。
【００２６】
一実施形態では、波長変換器は、アウトカップリング要素、特にテーパアウトカップリング要素、レンズ、流体、ポリマー、接着剤、ゲル又はコリメータを含む。これは波長変換器からセンサへの透過率を増加させ、こうして大きな信号出力がもたらされる。アウトカップリング要素は、第１の前面に配置されてもよいが、実用上の理由から他の任意の表面に配置されてもよい。
【００２７】
代替的な実施形態では、波長変換器はディスク又はリングとして形成されてもよく、光源は波長変換器の中央領域に配置され、光センサは波長変換器の端部に配置される。
【００２８】
波長変換器はまた、狭い間隔で配置されるか又は透明材料内で光学的に接続されるかのいずれかである、１つ又は複数のファイバであり、例えばファイバ束とすることができる。このファイバは、発光繊維と呼ばれることがある。個々のファイバは、直径が非常に細い、例えば０．１から０．５ｍｍであり得る。
【００２９】
光源は好ましくは、１つ若しくは複数のＬＥＤ、ＬＥＤのアレイ、又はレーザを含む。例えば、ＳｐＯ２測定のための実用的な実施形態では、光源は、２つの異なる第１の波長、特に可視光の波長（例えば赤色光）と赤外光の波長（例えば近赤外光）で発光する２つの光源要素を含む。この場合、波長変換器はまた、それぞれの光源要素により放射されるそれぞれの波長を変換するために２つ以上の蛍光染料を含んでもよい。
【００３０】
デバイスは、光センサにより受け取られた光から上記デバイスを携帯しているユーザの生理学的パラメータを取得するよう構成された評価ユニットを更に含むことができる。こうして、心拍数、呼吸数、パルス到着（pulse arrival）、血圧、酸素飽和度などの生理学的情報が取得されることができる。
【００３１】
更に、組織から散乱された光が波長変換器に到達し、変換された光が組織に再放出されるのを防ぐため、波長変換器と組織との間にダイクロイックミラーが配置されることができる。
【図面の簡単な説明】
【００３２】
【図１】本発明によるデバイスの第１の実施形態の側面表示を示す図である。
【図２】本発明によるデバイスの一実施形態で使用される波長変換器の一実施形態の概略ダイアグラムを示す図である。
【図３】本発明によるデバイスの第２の実施形態の上面表示を示す図である。
【図４】本発明によるデバイスの第３の実施形態の上面表示を示す図である。
【図５】本発明によるデバイスの第４の実施形態を含む腕時計の斜視表示を示す図である。
【図６】本発明によるデバイスの第５の実施形態を表すパルスオキシメータの側面表示を示す図である。
【発明を実施するための形態】
【００３３】
本発明のこれらの及び他の態様が、以下に説明される実施形態より明らとなり、これらの実施形態を参照して説明されることになる。
【００３４】
図１は、本発明によるデバイス１の第１の実施形態の側面図を示す。デバイス１は、対象の組織３内に少なくとも第１の波長の光２を放出する光源１０と、放出された光２と組織３との相互作用の後に放出された光４の少なくとも一部を受け取り、受け取った光４を第１の波長とは異なる少なくとも第２の波長に変換する波長変換器２０と、上記波長変換器２０により変換された光５を受け取る光センサ３０とを有する。
【００３５】
図２は、本発明によるデバイスの一実施形態で使用される波長変換器２０の一実施形態の概略図を示す。この実施形態の波長変換器２０は、プレート、ロッド又はシリンダーとして形成され、光４の波長を異なる、好ましくはより長い波長を備え、全方向に伝播する光５０に変換する蛍光染料でドープされた材料２１から作られる。それは、側面２２で光４を受光し、アウトカップリング面２３とも呼ばれる第１の前面２３で変換光５を放出するよう構成される。従って、光５０は全反射により材料２１内に維持され、好ましくはアウトカップリング面２３からのみ逃げることができる。こうして、アウトカップリング面２３から逃げる光５の光強度が集中される。
【００３６】
オプションで、ミラー２４が反対側の前面２５に配置される。その結果、できるだけ多くの光がアウトカップリング面２３に反射される。
【００３７】
光源１０は、例えばＬＥＤ、ＬＥＤアレイ、レーザなどである。光２、４は、皮膚又は他の任意の体組織であり得る感知領域３を通過する。
【００３８】
波長変換器を使用することは、波長変換器を通過するほとんどすべての光を（光線の方向とは無関係に）あらゆる方向に光を放出する第２の波長に変換することを可能にする。次いで、これらの光線は、全反射により波長変換器の内側に閉じ込められる（例示的な実施形態では、約６０％が波長変換器内に残る）。
【００３９】
一実施形態では、波長変換器２０は好ましくはセラミック材料で作られる。これの利点は、これらの材料が一般に、非常に高い硬度を持ち、非常に安定的であり、光学特性に関して「摩耗」せず、及び化学薬品に対して大きな抵抗率を示すことにある。こうして、さまざまな方法（化学的にも機械的にも）での洗浄が可能にされる。更に、これらのセラミックの組成は、吸収光が光源２の放射スペクトル及び標的組織３の吸収スペクトルと一致するように調整されることができる。
【００４０】
いくつかの例示的な可能性のある材料は、所望の特性を提供することができる様々な吸収／発光波長を用いて識別され、
Ｍｎ２＋をドープしたガラスセラミック；Ｍｎ２＋、Ｍｎ４＋、Ｃｅ３＋、Ｐｒ３＋、Ｅｕ３＋、Ｓｍ３＋、Ｅｕ２＋、Ｙｂ２＋をドープ／共ドープしたガーネット及び他の立方晶結晶（スピネル、ペロブスカイト、パイロクロアなど）；Ｃｅ３＋、Ｐｒ３＋、Ｅｕ２＋、Ｙｂ２＋をドープした蛍光体のような非立方晶の結晶；屈折率整合マトリックス（例えば、ＴｅＯ２、ＳｎＯ／Ｐ２Ｏ５、又はＢｉ２Ｏ３含有ガラス、高屈折率ポリイミド）に組み込まれたＥｕ３＋；
Ｃｏ３＋をドープしたガラスセラミック；Ｃｅ３＋、Ｍｎ２＋、Ｍｎ４＋、Ｃｒ３＋でドープ／共ドープされたガーネット及び他の立方晶結晶；屈折率整合マトリックスに組み込まれたＣｅ３＋、Ｐｒ３＋、Ｅｕ２＋、Ｙｂ２＋、Ｅｕ３＋、Ｔｍ３＋、Ｓｍ２＋、Ｃｒ３＋、Ｔｉ３＋でドープされた蛍光体のような非立方晶の結晶；
Ｃｒ３＋、Ｎｄ３＋、Ｔｍ３＋でドープ／共ドープされたガーネット及び他の立方晶結晶である。
【００４１】
好ましくは、変換材料２１中の発光部位（例えばＣｅ）の濃度は、９９％を超える変換を持つよう十分に高い。これは、入射光４に関する吸収長が板厚の０．２２倍未満であるべきであることを意味する。
【００４２】
他の実施形態では、オプションのアウトカップリング要素２６が第１の前面２３に設けられることができる（図２において破線で示される）。アウトカップリング要素は例えば、３０°から６０°の範囲、例えば４５°のテーパ角を有する。別の実施形態では、波長変換器２０から光センサ３０への光のアウトカップリングは、流体（油、ゲルなど）、レンズ、アウトカップリング要素２６としてコリメータを使用して向上されることができる。
【００４３】
図３は、本発明によるデバイス２の第２の実施形態の上面図を示す。この実施形態では、光源１０は、ディスクの形態を持つ波長変換器２０により囲まれた中央にある。光センサ３０は、円盤状波長変換器２０の周側面（端部）に配置される。
【００４４】
図４は、本発明によるデバイス３の第３の実施形態の上面図を示す。この実施形態では、波長変換器２０は、組織のより深いところを進んだ光を捕捉するため、光源１０から特定の距離で光を捕捉するようリングの形状に形成される。
【００４５】
光源は、異なる色のＬＥＤを含むＬＥＤアレイを含み得る。腕時計５に使用されるデバイス４の斯かる実施形態が図５に示される。デバイス４は、ユーザにより着用されるとき皮膚と接触するように、腕時計の下面６に配置される。
【００４６】
この実施形態では、光源は、異なる色の２つのＬＥＤ、特に赤色光を放射する第１のＬＥＤ１１と赤外光を放射する第２のＬＥＤ１２とにより形成される。光センサ３０は、中央領域にあり、導波路変換器２０は、ＬＥＤ１１、１２と光センサ３０との間に配置される。
【００４７】
（血液中の異なる吸収係数及び／又は異なる浸透深さを備える）１つ又は複数の追加の色を追加することが、動きアーチファクトを低減するために使用され得ることが知られる。更に、血液中の酸素飽和度を得るためには、（酸素化血液と脱酸素化血液とで異なる吸収係数及び／又は散乱係数を持つ）少なくとも２色の使用が必要とされる。波長変換器は色の波長を変えるが、これ以上の意味はない。なぜなら、波長はそれが皮膚（血液を含む）により散乱された後にのみ変更され、及び従って、関心のある情報は、波長が変更される前に既に得られるからである。
【００４８】
光センサ３０（及び／又は感知された信号を評価するプロセッサ）は、異なる色のＬＥＤを備える通常ＰＰＧセンサのように、光が感知される時間を使用することにより、第１のＬＥＤ１１から発する光と第２のＬＥＤ１２から発する光とを区別することができる。これは、オンとオフの状態を交互に切り替える（即ち、一方のＬＥＤが光を放射しているとき、もう一方のＬＥＤは放射していない。逆もまた真である）。
【００４９】
別の実施形態では、デバイスは、評価ユニット４０、例えばプロセッサを更に含む。これは、感知された信号を評価し、光センサ３０により受け取られた光、即ち感知された信号から上記デバイスを携帯しているユーザの生理学的パラメータを取得する。斯かるオプションの評価ユニット４０もまた図５に破線で示される。代替的な実施形態では、感知された信号は、更なる処理のため、外部の評価ユニット、例えばスマートフォン、コンピュータ、ラップトップ、患者モニタ等に（有線又は無線方式で）送信される。
【００５０】
図６は、本発明によるデバイスの第５の実施形態を表すパルスオキシメータ７の側面図を示す。パルスオキシメータ７は、対象のＳｐ０２を監視する指クリップとして構成される。２つのＬＥＤ１１、１２は、指１００の第１の側に配置される。波長変換器２０及びフォトダイオード３０は、指１００の他の側に配置される。即ち、ＬＥＤ１１、１２により放射された光は、指１００を透過し、波長変換器２０により受け取られる。本実施形態では、フォトダイオード３０は、波長変換器２０の側面に配置され、ここから変換された光が出力される。
【００５１】
従って、本発明は、組織から反射される光を利用する反射型のデバイスに限定されず、組織を透過する光を利用する透過型のデバイスにも適用されることができる。ハイブリッド形式のデバイスが使用されることもできる。例えば、図６に示される実施形態では、波長変換器は、組織により全方向に散乱された光を集めるため、一部又は完全な指の周りに配置されてもよい。
【００５２】
アクセスがより困難である鼻及び耳などの身体の特定の位置に関して他の実施形態が想定されてもよい。
【００５３】
本発明は、心拍数、呼吸数、血中酸素飽和度及び血圧（の代用）などの生理学的パラメータの目立たない監視に使用されることができる。用途は、健康的な生活（活動追跡器及びスポーツウォッチを想定）から、慢性疾患を持つ高齢患者の在宅モニタリング、ホスピタルトゥホーム、ＩＣＵ及びＯＲなどの病院での使用にまで及ぶ。
【００５４】
本発明が図面及び前述の説明において詳細に図示され及び説明されたが、斯かる図示及び説明は、説明的又は例示的であると考えられ、本発明を限定するものではない。本発明は、開示された実施形態に限定されるものではない。図面、開示及び添付された請求項の研究から、開示された実施形態に対する他の変形が、請求項に記載の本発明を実施する当業者により理解及び実行されることができる。
【００５５】
請求項において、単語「有する」は他の要素又はステップを除外するものではなく、不定冠詞「ａ」又は「ａｎ」は複数性を除外するものではない。単一の要素又は他のユニットが、請求項に記載される複数のアイテムの機能を満たすことができる。特定の手段が相互に異なる従属項に記載されるという単なる事実は、これらの手段の組み合わせが有利に使用されることができないことを意味するものではない。
【００５６】
請求項における任意の参照符号は、発明の範囲を限定するものとして解釈されるべきではない。
【図１】
2019533509.tif 000003
【図２】
2019533509.tif 000004
【図３】
2019533509.tif 000005
【図４】
2019533509.tif 000006
【図５】
2019533509.tif 000007
【図６】
2019533509.tif 000008
【国際調査報告】
2019533509.tif 000009
2019533509.tif 000010
2019533509.tif 000011